(57)【要約】【課題】  幕板側の滑り部材を容易に位置調整できる遊技機の外枠を提供する。【解決手段】  幕板６の上端部には、左右方向に延出するレール６ａが設けられ、そのレール６ａに幕板側の滑り部材８が左右方向に位置調整可能に取付けられている。【選択図】        図１
2006304858.tif 000002
【特許請求の範囲】
【請求項１】
左右の縦板と、左右の縦板の上端部間に取付けられる天板と、左右の縦板の下端部間に取付けられる地板と、下寄り前面側に設けられる幕板と、その幕板の上端部に取付けられる幕板側の滑り部材とを有し、左右一側寄りに回動可能に取付けられた前枠を開き位置から閉じ位置に回動させることで前記前枠の下端部に設けられた前枠側の滑り部材が前記幕板側の滑り部材に当接し、前記前枠側の滑り部材が前記幕板側の滑り部材の上面を滑ることで前記前枠が前記幕板の上位置である閉じ位置に配設される遊技機の外枠であって、
前記幕板の上端部には、左右方向に延出するレールが設けられ、そのレールに前記幕板側の滑り部材が左右方向に位置調整可能に取付けられていることを特徴とする遊技機の外枠。
【発明の詳細な説明】
【技術分野】
【０００１】
本発明は、遊技島に取付けられるパチンコ機やスロットマシンなどの遊技機の外枠に関する。
【背景技術】
【０００２】
従来、様々な外枠が知られており、例えば特許文献１に記載の遊技機の外枠が知られている。
特許文献１にかかる外枠は、左右の縦板と天板と地板とを矩形状に枠組みし、下寄り前面側に幕板を有している。そして幕板の上端部に幕板側の滑り部材が固定されている。外枠の左寄りには、前枠が回動可能に取付けられており、前枠の下端部には、前枠側の滑り部材が固定されている。前枠側の滑り部材は、前枠を開き位置から閉じ位置に回動させた際に幕板側の滑り部材と当接し、幕板側の滑り部材の上面を滑る。そのため前枠が幕板の上位置である閉じ位置にスムーズに配設される構成になっている。
【特許文献１】特開２００１−２５９１９６号公報
【発明の開示】
【発明が解決しようとする課題】
【０００３】
ところが機種変更のために前枠を外枠に対して交換したい場合がある。または前枠に取付けられる遊技盤の重さが変わってしまう場合がある。そのため幕板側の滑り部材が十分に機能を発揮しない場合があった。例えば、前枠を交換したことで前枠側の滑り部材の位置が変わり、幕板側の滑り部材の位置と前枠側の滑り部材の位置がズレてしまう場合があった。または遊技盤の重さが変わることで前枠の自由端側の高さが変わり、幕板側の滑り部材の位置と前枠側の滑り部材の位置がズレてしまう場合があった。そこで幕板側の滑り部材を位置調整するという方法も考えられるが、特許文献１に記載の幕板側の滑り部材は、幕板に対して固定されていた。そのため滑り部材の位置調整が困難で、位置調整の度に滑り部材をわざわざ幕板から取外す必要があった。
そこで本発明は、幕板側の滑り部材を容易に位置調整できる遊技機の外枠を提供することを課題とする。
【課題を解決するための手段】
【０００４】
前記課題を解決するために本発明は、請求項に記載の通りの構成を備える遊技機の外枠であることを特徴とする。
請求項１に記載の発明によると、幕板の上端部には、左右方向に延出するレールが設けられている。そしてレールに幕板側の滑り部材が左右方向に位置調整可能に取付けられている。
したがって幕板側の滑り部材を好適な位置に位置調整することができる。例えば、機種変更によって前枠側の滑り部材の位置が変わった場合に、幕板側の滑り部材を位置調整することができる。あるいは前枠に取付けられる遊技盤の重さが変わって前枠の自由端側の高さが変わった場合に、幕板側の滑り部材を位置調整することができる。そのため機種変更などがあっても前枠を外枠に対して円滑に開き位置から閉じ位置へ移動させることができる。かくして機種変更を理由に外枠を変更する必要もなくなる。
【発明の効果】
【０００５】
本発明によると、幕板側の滑り部材を容易に幕板に対して位置調整することができる。
【発明を実施するための最良の形態】
【０００６】
本発明の実施の形態を図１〜５にしたがって説明する。
パチンコ機（遊技機）は、図１に示すように遊技島に固定される矩形状の外枠１と、外枠１に回動可能に取付けられる前枠１０を有している。
外枠１は、図１，２に示すようにアルミニウム製の左右の縦板３，４、天板２、地板５および幕板６を有している。
天板２は、左右の縦板３，４の上端部間にコーナー部材１１，１３を介して取付けられる。地板５は、左右の縦板３，４の下端部間にコーナー部材１２，１４を介して取付けられる。幕板６は、左右の縦板３，４の下寄りの前面側に取付けられる。そして幕板６の上端部には、滑り部材８が位置調整可能に取付けられている。
【０００７】
外枠１の一側寄り（左寄り）には、図１に示すように前枠１０を回動可能に支持する一対の支持部１１ａ，１５ａが設けられている。
支持部１５ａは、図２に示すように左の縦板３に取付けられた金具１５に形成されており、図１に示すように前枠１０の下端部を回動可能に支持する。
支持部１１ａは、図２に示すように天板２に取付けられたコーナー部材１１に形成されており、図１に示すように前枠１０の上端部を回動可能に支持する。
【０００８】
前枠１０は、図１に示すように中央に開口部１０ａを有しており、図示省略の遊技盤、各種の機構装置、部品類が取付けられる。
前枠１０の下端部には、前枠側の滑り部材１７が取付けられており、前枠１０の左右一側寄り（図１の左側寄り）には、施錠装置１６が取付けられている。
滑り部材１７は、鋼板などをＬ字状に曲げて形成される部材であって、前枠１０の下端面と裏面とに沿った状態で前枠１０に固定される（図５参照）。
【０００９】
施錠装置１６は、前枠１０の側縁に沿って上下方向に延出する本体部１６ｂと、本体部１６ｂの上下二箇所に傾動可能に取付けられた一対の鉤部材１６ａ，１６ａと、鉤部材１６ａ，１６ａに連結された連結杆１６ｃを有している。
一方、外枠１の縦板４には、図１に示すように施錠装置１６の鉤部材１６ａが係脱可能に掛止される一対の掛止部材７が取付けられる。
【００１０】
幕板６は、図３に示すようにアルミニウムを原材料として地板５と一体に成形されている。そして幕板６は、前壁部６ｂと後壁部６ｃとレール６ａを有し、レール６ａに滑り部材８が位置調整可能に取付けられている。
前壁部６ｂは、地板５の最前端（図３の最左端）から上方に延出し、後壁部６ｃは、地板５の最前端よりも後側（図３の右側）から上方に延出している。そして前壁部６ｂと後壁部６ｃは、これらの略中央を架橋する架橋部６ｄによって補強されている。
【００１１】
レール６ａは、図３に示すように幕板６の上端部に左右方向に延出する前側のレール片６ａ１と、後側のレール片６ａ２と、レール片６ａ１，６ａ２間に形成された溝６ａ３とを有している。
前側のレール片６ａ１は、前壁部６ｂの上端から後側に折り返されて形成されている。後側のレール片６ａ２は、後壁部６ｃの上端から前側に折り返されて形成されている。そしてこれらレール片６ａ１，６ａ２は、幕板６の左右全長に渡って延出し、幕板６を補強するリブにもなっている。
【００１２】
滑り部材８は、図４に示すようにアルミニウムよりも剛性の強い材料、例えば鋼板などを原材料として成形された本体部８ａと保持部８ｅと一対のねじ８ｄを有している。
本体部８ａは、レール６ａの上側に設置される部材であって、滑り案内片８ｂと張出し片８ｃを一体に有している。
滑り案内片８ｂは、図３に示すように本体部８ａの手前縁から前方下方へ斜めに延出している。したがって滑り案内片８ｂは、図５に示すように前枠１０を開いた位置から閉じた位置に回動させた際に（図５左側から右側に移動させた際に）前枠側の滑り部材１７と当接し、前枠１０を上方へと滑らせる。そのため滑り案内片８ｂは、前枠１０を幕板６の上位置である閉じ位置へと案内する。
【００１３】
張出し片８ｃは、図５に示すように本体部８ａの後側縁から下方に延出し、レール６ａの後面（後壁部６ｃの後面）に当接される。したがって張出し片８ｃは、ねじ８ｄと協働することで滑り部材８のレール６ａに対する平面上で傾動する量を規制する（傾動規制機構）。
【００１４】
本体部８ａは、図４に示すように一対の挿通孔８ａ１を有している。そして保持部８ｅは、一対のめねじ部８ｅ１を有している。
本体部８ａの挿通孔８ａ１にねじ８ｄの足部を挿通し、足部の先端を保持部８ｅのめねじ部８ｅ１に羅合することで、本体部８ａと保持部８ｅは、ねじ８ｄを介して一体にされる。そして保持部８ｅは、レール６ａ内に差込まれ、本体部８ａは、レール６ａの上側に配設される。そのため滑り部材８は、ねじ８ｄと張出し片８ｃを利用してレール６ａに沿って左右方向に並行に移動する。そしてねじ８ｄを締めることでレール６ａに対して位置保持される（保持機構）。
【００１５】
次に、前枠１０を図１に示す開き位置から閉じ位置に回動させる様子について説明する。
前枠１０を開き位置から閉じ位置に回動すると、前枠１０は、図５において左側（前側）から右側（後側）に移動する。そして前枠側の滑り部材１７が、幕板側の滑り部材８の滑り案内片８ｂに当接する。そして前枠側の滑り部材１７が、滑り案内片８ｂの上面を滑って幕板６の上方へと案内され、前枠１０の自由端側が持上げられる。そして滑り部材１７が滑り部材８の本体部８ａの上面を滑り、前枠１０が幕板６の上位置である閉じ位置へと移動する。
そして前枠１０が閉じ位置に移動することで、図１に示す施錠装置１６の鉤部材１６ａが掛止部材７に掛止する。
【００１６】
以上のようにして外枠１が形成されている。
すなわち幕板６の上端部には、図３に示すように左右方向に延出するレール６ａが設けられている。そしてレール６ａに幕板側の滑り部材８が左右方向に位置調整可能に取付けられている。
したがって幕板側の滑り部材８を好適な位置に位置調整することができる。例えば、機種変更によって前枠側の滑り部材１７の位置が変わった場合に（図１参照）、幕板側の滑り部材８を位置調整することができる。あるいは前枠１０に取付けられる遊技盤の重さが変わって前枠１０の自由端側の高さが変わった場合に、幕板側の滑り部材８を位置調整することができる。そのため機種変更などがあっても前枠１０を外枠１に対して円滑に開き位置から閉じ位置へ移動させることができる。かくして機種変更を理由に外枠１を変更する必要もなくなる。
【００１７】
（他の実施の形態）
本発明は、上記の実施の形態に限定されず、以下の形態であってもよい。
（１）すなわち上記の実施の形態にかかる幕板は、アルミニウム製であったが、樹脂製でも良い。
（２）上記の実施の形態にかかるレールは、幕板に一体成形されていた。しかしレールが幕板本体と別体に成形され、幕板本体の上部に取付けられる形態であっても良い。
（３）上記の実施の形態にかかる幕板は、地板と一体に成形されていた。しかし幕板と地板とが別々に成形され、別々に左右の縦板に取付けられる形態であっても良い。
【図面の簡単な説明】
【００１８】
【図１】外枠に前枠を取付けた状態における外枠の前側からの斜視図である。
【図２】外枠の後側からの斜視図である。
【図３】図１の矢印Ａ方向からの滑り部材近傍の外枠の拡大断面斜視図である。
【図４】滑り部材の構成部品、幕板及び地板の一部斜視図である。
【図５】図３のＢ−Ｂ線断面矢視図である。
【符号の説明】
【００１９】
１…外枠
２…天板
３，４…縦板
５…地板
６…幕板
６ａ…レール
７…掛止部材
８…幕板側の滑り部材
８ａ…本体部
８ｂ…滑り案内片
８ｃ…傾動規制片
８ｅ…保持部
１０…前枠
１６…施錠装置
１６ａ…鉤部材
１７…前枠側の滑り部材
【図１】
2006304858.tif 000003
【図２】
2006304858.tif 000004
【図３】
2006304858.tif 000005
【図４】
2006304858.tif 000006
【図５】
2006304858.tif 000007